(57)【要約】【課題】信頼性の高い流状指示器を提供すること。【解決手段】流路に接続可能な第一ハウジング１と第二ハウジング２と円筒１４とにより構成された流路に、プロペラ１５を備えた回転軸１６の両端部を軸受け板１２、１３により回転可能に支持して収容し、前記プロペラ領域が外部から視認可能に構成されている計量機用流状指示器。【選択図】図１
2016166994.tif 000002
【特許請求の範囲】
【請求項１】
流路に接続可能な第一ハウジングと第二ハウジングと円筒とにより構成された流路に、プロペラを備えた回転軸の両端部を軸受け板で支持して収容し、前記プロペラ領域が外部から視認可能に構成されている計量機用流状指示器。
【請求項２】
前記軸受け板は、軸端側に突出するスリーブからなる貫通孔を備え、前記スリーブの根元の内側にアール部が形成されている請求項１に記載の計量機用流状指示器。
【請求項３】
第一ハウジングは長尺体として形成され、前記プロペラに対向する位置に窓と、前記窓を挟むように内面に環状の溝とを有し、前記溝にＯリングを挿入して透明な円筒が液密に装てんされ、第二ハウジングは第一ハウジングと接合固定が可能で前記円筒との間に軸受け板を介そうした状態でも前記軸受け板との間に間隙を形成している請求項１に記載の計量機用流状指示器。
【請求項４】
前記軸受け板の外径が第一ハウジングの内径よりも小さくかつ前記円筒の内径よりも大きい請求項３に記載の計量機用流状指示器。
【発明の詳細な説明】
【技術分野】
【０００１】
本発明は計量機に流れる液体の流れの状態を表示する流状指示器に関する。
【背景技術】
【０００２】
計量機に流れる液体の流れの状態を表示する目的で特許文献１に見られるような流状指示器が提案されている。この流状指示器は、流体が流れる管路に一端を固定した軸に両端をコイルバネでプロペラを回動可能に取り付け、管路のプロペラ対向領域を外部から視認可能に構成されている。
【先行技術文献】
【特許文献】
【０００３】
【特許文献１】中国実用新案登録第２０１８９０７６３号公報
【発明の概要】
【発明が解決しようとする課題】
【０００４】
しかしながら、プロペラを保持する軸が一端だけで支持されているため軸が傾いてプロペラの回転不良により流路抵抗が増加したり、プロペラを軸に回転可能に支持するコイルバネが外れて詰まるなどの問題を抱えている。【０００５】
本発明はこのような問題に鑑みてなされたものであってその目的とするところは信頼性の高い計量機用流状指示器を提供することである。
【課題を解決するための手段】
【０００６】
このような問題を解決するために、請求項１の発明は、流路に接続可能な第一ハウジングと第二ハウジングと円筒とにより構成された流路に、プロペラを備えた回転軸の両端部を軸受け板で支持して収容し、前記プロペラ領域が外部から視認可能に構成されている。【０００７】
請求項２の発明は、前記軸受け板は、軸端側に突出するスリーブからなる貫通孔を備え、前記スリーブの根元の内側にアール部が形成されている。【０００８】
請求項３の発明は、第一ハウジングは長尺体として形成され、前記プロペラに対向する位置に窓と、前記窓を挟むように内面に環状の溝とを有し、前記溝にＯリングを挿入して透明な円筒が液密に装てんされ、第二ハウジングは第一ハウジングと接合固定が可能で前記円筒との間に軸受け板を介そうした状態でも前記軸受け板との間に間隙を形成している。【０００９】
請求項４の発明は、前記軸受け板の外径が第一ハウジングの内径よりも小さくかつ前記円筒の内径よりも大きく構成されている。
【発明の効果】
【００１０】
請求項１の発明によれば、プロペラの回転軸が両端で支持されているため、プロペラが安定に回転する。【００１１】
請求項２の発明によれば回転軸を安定に支持できかつ磨耗を低減できる。【００１２】
請求項３の発明によれば円筒に過剰な力を作用させることが無く、円筒の破損を防止できる。【００１３】
請求項４の発明によれば軸受け板を若干移動可能にさせて回転軸との噛み込みを防止できる。
【図面の簡単な説明】
【００１４】
【図１】本発明の一実施例を示す断面図。
【図２】図（ａ）、（ｂ）はそれぞれ図１の要部Ａ、Ｂを拡大して示す図。
【図３】プロペラの一実施例を示す図。
【発明を実施するための形態】
【００１５】
そこで以下に本発明の詳細を実施例に基づいて説明する。
【００１６】
図１は本発明の一実施例を示すものであって、計量機の管路Ｐに接合可能な筒状の第一ハウジング部１と筒状の第二ハウジング部２とで構成され、それぞれの一端でねじ部３、４により固定可能に構成され、後述するプロペラに対向する領域には窓５が形成されている。
【００１７】
また、それぞれのハウジング１、２の他端は流路Ｐに接続可能な形状に構成、すなわち第一ハウジング１は流路の端部を勘合可能なテーパ状の通孔６が、また第二ハウジング２の端部は通孔の外周がテーパ状の凸部７に整形されている。
【００１８】
第一ハウジング１の内面には一端側、つまり第二ハウジング２と対向する側から他端側に向けて他端側に段差８を形成するように円筒状の凹部９と、窓５を挟むように円環溝１０、１０が形成され、この溝にＯリング１１、１１が装てんされている。
【００１９】
この段差８にはプロペラ１５の回転軸の一端を支持する軸受け板１２が装てんされ、Ｏリング１１、１１と液密状態を維持できる程度の外径を有し、かつ後述する他方の軸受け板１３を装てんしたとき第二ハウジング２を接合固定した状態でも図２（ａ）に示したように軸受け板１３が若干スライドできる程度の間隙Ｇを形成できる長さの耐油性透明材の円筒１４が軸受け板１２を固定するように挿入されている。
【００２０】
軸受け板１２、１３に支持されるプロペラ１５は、図３に示したように回転軸１６を有し、軸受け板１２、１３に対向する領域には軸受け板１２、１３のスリーブ１２ａ、１３ａに挿通可能な細径部１７、１７が形成されて段差部１８、１８が設けられ、軸受け板１２、１３のスリーブ１２ａ、１３ａに挿通された状態では段差部１８、１８で回転可能ではあるが軸方向の移動がある程度制限されている。
【００２１】
プロペラ１５の回転軸１６の細径部１７の一方を、一方の軸受け板１２つまり下方となる軸受け板１２で支持させた状態でもう他方の軸受け板１３をプロペラ１５の回転軸１６の細径部１７に挿通させるように円筒１４の端部に支持させて第二ハウジング２をパッキン１９を挿入してねじ部３、４で螺合接続すると、第二ハウジング２の端面と軸受け板１３との間に若干の間隙Ｇ、つまり軸受け板１３から回転軸１６が抜け出さず、かつ軸受け板１３が若干スライドできる程度の間隙ｇを確保できるように配置されている。つまり、軸受け板１２の外径は、第一ハウジング１の内径よりも小さく、かつ円筒１４の内径よりも大きく構成されている。
【００２２】
これにより、ハウジング１，２による軸方向の過度な圧縮力が円筒１４に作用するのを防止して円筒の破損を防ぐことができる。
【００２３】
軸受け板１２、１３は、一方の軸受け板１３に例にとって説明すると、図２（ｂ）に示したように回転軸１６が挿通される領域は中心部に軸１７の端部側に突出するスリーブ１３ａとして形成され、流体の流通孔１３ｂとが形成され、スリーブ１３ａの根元の内面側にはＲ（アール）部１３ｃが形成されている。
【００２４】
この実施例において、給油装置の吐出管に接続して容易に視認できる位置に配置したり、流路に連通させて給油ノズルの近傍に配置して液を流下させると、軸受け板１２、１３の流通孔１２ｂ、１３ｂを流体が通過し、プロペラ１５が流れを受けて回転する。このとき流れに渦が存在しても回転軸１６はその両端を支持されているため、回転軸１６は軸受け板１２、１３に可及的に垂直に支持されて安定に支持され流れに対応させてプロペラを回転させる事ができるため、流れの状態が正確に把握できる。
【００２５】
また一方の軸受け板１３は間隙Ｇにより回転軸１６に垂直方向にスライド可能なため軸受け孔であるスリーブ１３ａと回転軸１７との噛み込みを防止できる。また、回転軸１６は、スリーブ１２ａ、１３ａで広い面積で支持できるため回転軸１６の姿勢の安定性が向上する。さらにスリーブ１２ａ、１３ａの根元の内側にＲ部１２ｃ、１３ｃが存在することにより最も摩擦する部位である回転軸１６の段差部１８の磨耗を低減できる。
【符号の説明】
【００２６】
１  第一ハウジング部
２  第二ハウジング部
３、４ ねじ部
５  窓
６  通孔
７  凸部
８  段差
９  凹部
１０、１０  円環溝
１１、１１  Ｏリング
１２、１３  軸受け板
１４  円筒
１５  プロペラ
１６  回転軸
１７、１７  細径部
１８、１８  段差部
１９  パッキン
Ｐ  計量機の管路
【図１】
2016166994.tif 000003
【図２】
2016166994.tif 000004
【図３】
2016166994.tif 000005
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
（削除）
【請求項２】
流路に接続可能な第一ハウジングと第二ハウジングと円筒とにより構成された流路に、プロペラを備えた回転軸の両端部を、軸端側に突出するスリーブからなる貫通孔を備え、前記スリーブの根元の内側にアール部が形成されている軸受け板で支持して収容し、前記プロペラ領域が外部から視認可能に構成されている計量機用流状指示器。
【請求項３】
流路に接続可能な第一ハウジングと第二ハウジングと円筒とにより構成された流路に、プロペラを備えた回転軸の両端部を軸受け板で支持して収容し、前記プロペラ領域が外部から視認可能に構成され、前記第一ハウジングは長尺体として形成され、前記プロペラに対向する位置に窓と、前記窓を挟むように内面に環状の溝とを有し、前記溝にＯリングを挿入して透明な円筒が液密に装てんされ、前記第二ハウジングは第一ハウジングと接合固定が可能で前記円筒との間に軸受け板を介そうした状態でも前記軸受け板との間に間隙を形成している計量機用流状指示器。
【請求項４】
前記軸受け板の外径が第一ハウジングの内径よりも小さくかつ前記円筒の内径よりも大きい請求項３に記載の計量機用流状指示器。
【国際調査報告】
2016166994.tif 000006
2016166994.tif 000007
2016166994.tif 000008
2016166994.tif 000009